(57)【要約】      （修正有）【課題】特に安定した品質を有すると共に、搬送中の破損による損害を防止ことができる投影型静電容量方式タッチパネルを提供する。【解決手段】上板と、下板と、上板と下板との間に設置される絶縁粘着層とを備える。下板は、底面に電磁波遮蔽層が形成されると共に、上面に、平行且つ同一軸方向に配列される複数の電極パターン、及び任意の隣接する２つの電極パターンを接続する複数の接続線を有する複数の導電電極が設けられる。上板は、底面が下板の上面に面すると共に、該底面に、平行且つ前記導電電極と異なる軸方向に配列され、それぞれが該下板の上面における導電パターンが設けられていない位置と対応するように設置される複数の電極パターン、及び任意の隣接する２つの電極パターンを接続する複数の接続線を有する複数の導電電極が設けられる。【選択図】図２
0003161738.tif 000002
【実用新案登録請求の範囲】
【請求項１】
底面に電磁波遮蔽層（１１）が形成されると共に、上面に、平行且つ同一軸方向に配列される複数の電極パターン（１２２）、及び任意の隣接する２つの電極パターン（１２２）を接続する複数の接続線（１２３）を有する複数の導電電極（１２）が設けられる下板（１０）と、
底面が前記下板（１０）の上面に面すると共に、該底面に、平行且つ前記導電電極（１２）と異なる軸方向に配列され、それぞれが該下板（１０）の上面における導電パターン（１２２）が設けられていない位置と対応するように設置される複数の電極パターン（２２２）、及び任意の隣接する２つの電極パターン（２２２）を接続する複数の接続線（２２３）を有する複数の導電電極（２２）が設けられる上板（２０）と、
前記上板（２０）と下板（１０）との間に設置される絶縁粘着層（３０）とを備えることを特徴とする投影型静電容量方式タッチパネル。
【請求項２】
前記下板（１０）における各導電電極（１２）の一側に接続ポート（１２１）が設けられると共に、該下板（１０）の上面に、一端が接続ポート（１２１）に接続される、該接続ポート（１２１）の数と対応する導線（１３）が設けられ、前記上板（２０）における各導電電極（２２）の一側に接続ポート（２２１）が設けられると共に、該上板（２０）の下面に、一端が接続ポート（２２１）に接続される、該接続ポート（２２１）の数と対応する導線（２３）が設けられることを特徴とする請求項１に記載の投影型静電容量方式タッチパネル。
【請求項３】
前記各導線（１３）（２３）が導電体からなることを特徴とする請求項２に記載の投影型静電容量方式タッチパネル。
【請求項４】
前記各導線（１３）（２３）が銀からなることを特徴とする請求項３に記載の投影型静電容量方式タッチパネル。
【請求項５】
前記上板（２０）の上面に二酸化珪素保護層（２１）が形成されることを特徴とする請求項１ないし４の何れか一項に記載の投影型静電容量方式タッチパネル。
【請求項６】
前記電磁波遮蔽層（１１）が酸化インジウム錫（ITO）からなることを特徴とする請求項１ないし５の何れか一項に記載の投影型静電容量方式タッチパネル。
【請求項７】
前記各電極パターン（１２２）（２２２）及び接続線（１２３）（２２３）が酸化インジウム錫（ITO）からなることを特徴とする請求項１ないし６の何れか一項に記載の投影型静電容量方式タッチパネル。
【考案の詳細な説明】
【技術分野】
【０００１】
本考案は、特に投影型静電容量方式タッチパネルに関するものである。
【背景技術】
【０００２】
タッチパネルには、タッチした位置を検出する原理として抵抗膜方式、静電容量方式、超音波方式及び赤外線方式などが用いられ、その内小型スクリーンを有する携帯式電子機器には通常、抵抗膜方式タッチパネルが多用されていたが、APPLE社のiPhoneに静電容量方式が採用されたことを機に、その方式が大いに注目を浴びることとなった。また、静電容量方式のタッチパネルもその構造により一点のみ検出できる表面型と、多点を同時に検出できる投影型に分けられるが、iPhoneが採用したものは投影型静電容量方式タッチパネルであり、2本の指をタッチしながら開閉することで画像などの拡大、縮小、回転又は移動を行うタイプである。尚、投影型静電容量方式タッチパネルは、指先と導電膜との間の静電容量の変化により位置を検出するので、抵抗膜方式のように画面を強く押す必要がなく、耐久性に優れている。
【０００３】
従来の投影型静電容量方式は、軸交差型（Axis Intersect）の技術に属し、図４及び図５に示すように、主に基板（４０）と保護層（５０）により構成され、該基板（４０）に、交差状に配列される複数の縦軸導電電極（４１ａ）と横軸導電電極（４１ｂ）とが設けられ、それらの導電電極（４１ａ）（４１ｂ）は夫々、複数の菱形の電極パターン（４１２ａ）（４１２ｂ）と、端部に設けられる接続ポート（４１１ａ）（４１１ｂ）とを有し、該接続ポート（４１１ａ）（４１１ｂ）とフレキシブル回路板（図示せず）との間に、信号をコントローラに伝送するための導線（４２）が設けられる。
【０００４】
また、前記各導電電極（４１ａ）（４１ｂ）における、任意の隣接する２つの菱形電極パターン（４１２ａ）（４１２ｂ）の間には、電気接続するためのジャンパ線（４１３ａ）（４１３ｂ）が設けられるが、縦軸導電電極（４１ａ）と横軸導電電極（４１ｂ）との電気接続を防止するため、一方の導電電極（４１ａ）（４１ｂ）におけるジャンパ線（４１３ａ）（４１３ｂ）を、他方の導電電極（４１ａ）（４１ｂ）におけるジャンパ線（４１３ａ）（４１３ｂ）を跨ぐように設けなければならない。例えば図４に示す例においては、前記縦軸導電電極（４１ａ）におけるジャンパ線（４１３ａ）が曲げられて前記横軸導電電極（４１ｂ）におけるジャンパ線（４１３ｂ）を跨ぐように設けられており、そのため、該縦軸導電電極（４１ａ）におけるジャンパ線（４１３ａ）は突起状となっている。
【考案の概要】
【考案が解決しようとする課題】
【０００５】
しかしながら、突起状のジャンパ線は、透明であるタッチパネルを透過する光の進路を変えてしまう欠点があった。また、曲げられて突起状となったジャンパ線は、タッチパネルの搬送中に、圧力または温度の変化により脱落する虞があり、そうなった場合、タッチポイントを検出することができなくなってしまう。
【０００６】
そこで、案出されたのが本考案であって、従来の、一方の導電電極におけるジャンパ線を曲げて他方の導電電極におけるジャンパ線を跨ぐように設けなければならないことにより生ずる、突起状となったジャンパ線が、光の進路を変えてしまう問題、及び環境の変化によって脱落しやすいといった問題、更に、縦軸導電電極と横軸導電電極が、エッチングされた狭いエリアを隔てて隣接することによる、互いに影響しやすくタッチパネルの歩留まりが低下してしまうといった欠点を解決できる投影型静電容量方式タッチパネルを提供することを目的としている。
【課題を解決するための手段】
【０００７】
上記の目的を達成するため、本考案に係る投影型静電容量方式タッチパネルは、下板と、底面が該上板の上面に面する上板と、該上板と下板との間に設置される絶縁粘着層とを備え、その内、該下板の底面に電磁波遮蔽層が形成されると共に、上面に、平行且つ同一軸方向に配列される複数の導電電極と、複数の導線とが設けられ、それらの導電電極は夫々、複数の電極パターンと、任意の隣接する２つの電極パターンを接続する複数の接続線と、一側に設けられる接続ポートとを有し、それらの導線の数は、接続ポートの数と対応すると共に、該各導線の一端はそれぞれ、対応する接続ポートに接続される。更に、前記上板の底面に、平行且つ前記導電電極と異なる軸方向に配列される複数の導電電極と、複数の導線とが設けられ、それらの導電電極は夫々、下板の上面における、導電パターンが設けられていない位置と対応するように設置される複数の電極パターンと、任意の隣接する２つの電極パターンを接続する複数の接続線と、一側に設けられる接続ポートとを有し、それらの導線の数は、接続ポートの数と対応すると共に、該各導線の一端はそれぞれ、対応する接続ポートに接続される。
【０００８】
また、前記各導線は導電体からなり、特に銀からなることが好ましい。
【０００９】
また、前記上板の上面に二酸化珪素保護層が形成されることが好ましい。
【００１０】
また、前記電磁波遮蔽層或いは各電極パターン及び接続線は、酸化インジウム錫（ITO）からなることが好ましい。
【考案の効果】
【００１１】
本考案は上記の課題を解決するものであり、異なる軸方向の導電電極を夫々上板と下板の表面に設け、一方の導電電極におけるジャンパ線を曲げて突起状に形成して他方の導電電極におけるジャンパ線を跨ぐ必要がないので、突起状のジャンパ線による光の進路が変わってしまうという問題を解決することができる。また、上述したように、本考案では、ジャンパ線が曲げられていないことから、環境の変化によるジャンパ線の脱落も起きにくいと共に、異なる軸方向の導電電極は夫々、上板と下板に隣接せずに設けられていることから、互いに影響し合うこともないので、本考案の投影型静電容量方式タッチパネルを、品質を悪化させることなく容易に搬送することができる。
【図面の簡単な説明】
【００１２】
【図１】本考案に係る投影型静電容量方式タッチパネルの分解斜視図である。
【図２】本考案に係る投影型静電容量方式タッチパネルの断面図である。
【図３】本考案に係る投影型静電容量方式タッチパネルの平面視透視図である。
【図４】従来の投影型静電容量方式タッチパネルの斜視図である。
【図５】従来の投影型静電容量方式タッチパネルの平面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図３に示すように、本考案に係る投影型静電容量方式タッチパネルは、下板（１０）と、上板（２０）と、該上板（２０）と下板（１０）との間に設置される絶縁粘着層（３０）とを備える。
【００１５】
前記下板（１０）は、その底面に電磁波遮蔽層（１１）が形成されると共に、上面に、平行且つ同一軸方向に配列される複数の導電電極（１２）と、複数の導線（１３）とが設けられ、それらの導電電極（１２）は夫々、複数の電極パターン（１２２）と、任意の隣接する２つの電極パターン（１２２）を接続する複数の接続線（１２３）と、一側に設けられる接続ポート（１２１）とを有し、それらの導線（１３）の数は、接続ポート（１２１）の数と対応すると共に、該各導線（１３）の一端は、対応する接続ポート（１２１）に接続される。また、前記各導線（１３）、接続ポート（１２１）、電極パターン（１２２）及び接続線（１２３）は導電体からなり、本実施例においては、該導線（１３）及び接続ポート（１２１）が銀からなるのに対し、該電極パターン（１２２）及び接続線（１２３）は酸化インジウム錫（ITO）からなる。
【００１６】
前記上板（２０）は、底面が前記下板（１０）の上面に面し、該上面に二酸化珪素保護層（２１）が形成されると共に、底面に、平行且つ前記導電電極（１２）と異なる軸方向に配列される複数の導電電極（２２）と、複数の導線（２３）とが設けられ、その内それらの導電電極（２２）は夫々、下板（１０）の上面における、導電パターン（１２２）が設けられていない位置と対応するように設置される複数の電極パターン（２２２）と、任意の隣接する２つの電極パターン（２２２）を接続する複数の接続線（２２３）と、一側に設けられる接続ポート（２２１）とを有し、それらの導線（２３）の数は、接続ポート（２２１）の数と対応すると共に、該各導線（２３）の一端は、対応する接続ポート（２２１）に接続される。尚、それらの導線（２３）、接続ポート（２２１）、電極パターン（２２２）及び接続線（２２３）は導電体からなり、本実施例においては、該導線（２３）及び接続ポート（２２１）が銀からなるのに対し、該電極パターン（２２２）及び接続線（２２３）は酸化インジウム錫（ITO）からなる。
【００１７】
前記絶縁粘着層（３０）は、絶縁の粘着剤からなる。
【００１８】
本考案は、異なる軸方向の導電電極（２２）（１２）が夫々、上板（２０）と下板（１０）の表面に設置されることから、従来のように、一方の導電電極におけるジャンパ線を曲げて突起状に形成することにより、他方の導電電極におけるジャンパ線を跨がせる必要はないので、突起状のジャンパ線により光の進路が変わってしまう欠点や、ジャンパ線が環境の変化により脱落してしまうといった問題点を解決することができる。また、本考案によれば、異なる軸方向の導電電極（２２）（１２）は夫々、上板（２０）と下板（１０）に重ならずに設けられるので、互いに影響し合うことはない。故に、本考案の投影型静電容量方式タッチパネルは、安定した品質を有すると共に、搬送中の破損による損害も防止することができる。
【符号の説明】
【００１９】
１０        下板
１１        電磁波遮蔽層
１２、２２    導電電極
１２１、２２１      接続ポート
１２２、２２２      電極パターン
１２３、２２３      接続線
１３、２３    導線
２０        上板
２１        二酸化珪素保護層
３０        絶縁粘着層
４０        基板
４１ａ      縦軸導電電極
４１ｂ      横軸導電電極
４１１ａ、４１１ｂ      接続ポート
４１２ａ、４１２ｂ      電極パターン
４１３ａ、４１３ｂ      ジャンパ線
４２        導線
５０        保護層
【図１】
0003161738.tif 000003
【図２】
0003161738.tif 000004
【図３】
0003161738.tif 000005
【図４】
0003161738.tif 000006
【図５】
0003161738.tif 000007